(57)【要約】【課題】構造物に関する多種多様なデータを、構造物を建造し、保守する各工程で横断的に利用可能とするデータ管理装置、データ管理方法及びデータ管理プログラムを提供する。【解決手段】データ管理装置１０は、複数の部材により構成される構造物に関する複数のデータを取得する取得部１１と、構造物に関する複数のデータから、複数の部材が建造される相対的な位置に関する情報及び複数の部材が建造される絶対的な位置に関する情報を抽出する抽出部１２と、相対的な位置に関する情報を、複数の部材が建造される絶対的な位置に関する情報に変換する変換部１３と、絶対的な位置に関する情報に基づいて、構造物に関する複数のデータのうち一部又は全部を関連付ける関連付け部１４と、を備える。【選択図】図１
2019056976.tif 000002
【特許請求の範囲】
【請求項１】
複数の部材により構成される構造物に関する複数のデータを取得する取得部と、
前記構造物に関する複数のデータから、前記複数の部材が建造される相対的な位置に関する情報及び前記複数の部材が建造される絶対的な位置に関する情報を抽出する抽出部と、
前記相対的な位置に関する情報を、前記複数の部材が建造される絶対的な位置に関する情報に変換する第１変換を行う変換部と、
前記絶対的な位置に関する情報に基づいて、前記構造物に関する複数のデータのうち一部又は全部を関連付ける関連付け部と、
を備えるデータ管理装置。
【請求項２】
前記抽出部は、関連付けられた前記構造物に関する複数のデータから、前記構造物の挙動をシミュレーションするために用いるデータを抽出する、
請求項１に記載のデータ管理装置。
【請求項３】
前記構造物に関する複数のデータは、前記構造物が建造される土地の調査に関する数値データ、前記構造物の設計に関するＣＡＤデータ、前記構造物の施工に関する表データ及び前記構造物の維持管理に関する画像データのうち少なくともいずれか２種類を含み、
前記変換部は、前記第１変換に加えて、関連付けられた前記構造物に関する複数のデータに含まれる２種類のデータのうち一方を他方に変換する第２変換を行う、
請求項１又は２に記載のデータ管理装置。
【請求項４】
前記変換部は、前記第２変換として、前記土地の調査に関する数値データに含まれる前記土地の地盤の強さに関する数値データを、前記設計に関するＣＡＤデータに含まれる前記構造物の基礎の配置及び前記基礎の寸法の少なくともいずれかに変換する、
請求項３に記載のデータ管理装置。
【請求項５】
前記変換部は、前記第２変換として、前記設計に関するＣＡＤデータを、前記施工に関する表データに含まれる施工の順序及び前記施工に割り当てられる人員の少なくともいずれかに変換する、
請求項３又は４に記載のデータ管理装置。
【請求項６】
前記変換部は、前記第２変換として、前記施工に関する表データを、前記維持管理に関する画像データにより示される前記構造物の劣化に関するデータに変換する、
請求項３から５のいずれか一項に記載のデータ管理装置。
【請求項７】
複数の部材により構成される構造物に関する複数のデータを取得するステップと、
前記構造物に関する複数のデータから、前記複数の部材が建造される相対的な位置に関する情報及び前記複数の部材が建造される絶対的な位置に関する情報を抽出するステップと、
前記相対的な位置に関する情報を、前記複数の部材が建造される絶対的な位置に関する情報に変換するステップと、
前記絶対的な位置に関する情報に基づいて、前記構造物に関する複数のデータのうち一部又は全部を関連付けるステップと、
を含むデータ管理方法。
【請求項８】
データ管理装置に備えられたコンピュータを、
複数の部材により構成される構造物に関する複数のデータを取得する取得部、
前記構造物に関する複数のデータから、前記複数の部材が建造される相対的な位置に関する情報及び前記複数の部材が建造される絶対的な位置に関する情報を抽出する抽出部、
前記相対的な位置に関する情報を、前記複数の部材が建造される絶対的な位置に関する情報に変換する変換部、及び
前記絶対的な位置に関する情報に基づいて、前記構造物に関する複数のデータのうち一部又は全部を関連付ける関連付け部、
として機能させるデータ管理プログラム。
【発明の詳細な説明】
【技術分野】
【０００１】
本発明は、データ管理装置、データ管理方法及びデータ管理プログラムに関する。
に関する。
【背景技術】
【０００２】
近年、国土交通省は、ＩＣＴ（Information and Communication Technology）を建設現場に導入することによって、建設生産システム全体の生産性向上を図ろうとする「ｉ−Ｃｏｎｓｔｒｕｃｔｉｏｎ」（アイ・コンストラクション）と呼ばれる取組を推進している。
【０００３】
建設分野におけるＩＣＴ活用の一例として、下記特許文献１には、建設物の建設技術情報が互いに関連付けられて格納されたデータベースと、建設物の建設条件を入力としてデータベースを参照し、建設物の建設計画情報を出力する装置とを備える建設システムが記載されている。
【先行技術文献】
【特許文献】
【０００４】
【特許文献１】特開２００２−２４３０８号公報
【発明の概要】
【発明が解決しようとする課題】
【０００５】
建物、橋又は道路といった構造物を建造し、保守する工程は、地盤の調査や測量といった工程に始まり、構造物を設計する工程、設計に基づき構造物を建造する工程、構造物を維持管理する工程といった複数の工程を含む。ここで、各工程において得られるデータは、例えば地盤の強さに関するデータであったり、構造物の設計図等のＣＡＤ（Computer Added Design）データであったり、構造物の建造における施工順序や工法に関するデータであったり、維持管理において得られた検査画像であったりする。
【０００６】
このように、構造物に関するデータは多種多様であるし、それらのデータを作成する主体が異なるため、データ形式が統一されておらず、横断的なデータ活用が難しいことがある。ここで、各工程間でデータ形式を統一して、横断的なデータ活用を容易にするという方法も考えられるが、構造物に関する多種多様なデータのデータ形式は、それぞれのデータを扱う主体が利便性を追求した結果得られたものであり、一律に規格化するのではかえってデータ利用の効率を悪くするおそれもある。
【０００７】
そこで、本発明は、構造物に関する多種多様なデータを、構造物を建造し、保守する各工程で横断的に利用可能とするデータ管理装置、データ管理方法及びデータ管理プログラムを提供する。
【課題を解決するための手段】
【０００８】
本発明の一態様に係るデータ管理装置は、複数の部材により構成される構造物に関する複数のデータを取得する取得部と、構造物に関する複数のデータから、複数の部材が建造される相対的な位置に関する情報及び複数の部材が建造される絶対的な位置に関する情報を抽出する抽出部と、相対的な位置に関する情報を、複数の部材が建造される絶対的な位置に関する情報に変換する第１変換を行う変換部と、絶対的な位置に関する情報に基づいて、構造物に関する複数のデータのうち一部又は全部を関連付ける関連付け部と、を備える。
【０００９】
この態様によれば、構造物の複数の部材が建造される相対的な位置に関する情報を、複数の部材が建造される絶対的な位置に関する情報に変換して、絶対的な位置に関する情報に基づいてデータの関連付けを行うことで、構造物に関する多種多様なデータを、構造物を建造し、保守する各工程で横断的に利用可能とすることができる。
【００１０】
上記態様において、抽出部は、関連付けられた構造物に関する複数のデータから、構造物の挙動をシミュレーションするために用いるデータを抽出してもよい。
【００１１】
この態様によれば、関連付けられた構造物に関する複数のデータから、構造物の挙動をシミュレーションするために用いるデータを抽出することで、構造物に関する多種多様なデータを、構造物の挙動をシミュレーションするためにひとまとまりとして取り扱うことができ、より精度の高いシミュレーションを行うためのデータを効率良く提供することができる。
【００１２】
上記態様において、構造物に関する複数のデータは、構造物が建造される土地の調査に関する数値データ、構造物の設計に関するＣＡＤデータ、構造物の施工に関する表データ及び構造物の維持管理に関する画像データのうち少なくともいずれか２種類を含み、変換部は、第１変換に加えて、関連付けられた構造物に関する複数のデータに含まれる２種類のデータのうち一方を他方に変換する第２変換を行ってもよい。
【００１３】
この態様によれば、構造物を建造し、保守する各工程で得られた複数種類のデータが、各工程間で読替可能となり、構造物に関する多種多様なデータを、各工程で横断的に利用可能とすることができる。
【００１４】
上記態様において、変換部は、第２変換として、土地の調査に関する数値データに含まれる土地の地盤の強さに関する数値データを、設計に関するＣＡＤデータに含まれる構造物の基礎の配置及び基礎の寸法の少なくともいずれかに変換してもよい。
【００１５】
この態様によれば、構造物を建造する土地の地盤の強さに関する数値データが、構造物の基礎の配置及び寸法の少なくともいずれかに読替可能となり、調査の工程と設計の工程でデータを横断的に利用可能とすることができる。
【００１６】
上記態様において、変換部は、第２変換として、設計に関するＣＡＤデータを、施工に関する表データに含まれる施工の順序及び施工に割り当てられる人員の少なくともいずれかに変換してもよい。
【００１７】
この態様によれば、構造物の設計に関するＣＡＤデータが、構造物の施工の順序及び人員の少なくともいずれかに読替可能となり、設計の工程と施工の工程でデータを横断的に利用可能とすることができる。
【００１８】
上記態様において、変換部は、第２変換として、施工に関する表データを、維持管理に関する画像データにより示される構造物の劣化に関するデータに変換してもよい。
【００１９】
この態様によれば、構造物の施工に関する表データが、構造物の劣化に関するデータに読替可能となり、施工の工程と維持管理の工程でデータを横断的に利用可能とすることができる。
【００２０】
本発明の他の態様に係るデータ管理方法は、複数の部材により構成される構造物に関する複数のデータを取得するステップと、構造物に関する複数のデータから、複数の部材が建造される相対的な位置に関する情報及び複数の部材が建造される絶対的な位置に関する情報を抽出するステップと、相対的な位置に関する情報を、複数の部材が建造される絶対的な位置に関する情報に変換するステップと、絶対的な位置に関する情報に基づいて、構造物に関する複数のデータのうち一部又は全部を関連付けるステップと、を含む。
【００２１】
この態様によれば、構造物の複数の部材が建造される相対的な位置に関する情報を、複数の部材が建造される絶対的な位置に関する情報に変換して、絶対的な位置に関する情報に基づいてデータの関連付けを行うことで、構造物に関する多種多様なデータを、構造物を建造し、保守する各工程で横断的に利用可能とすることができる。
【００２２】
本発明の他の態様に係るデータ管理プログラムは、データ管理装置に備えられたコンピュータを、複数の部材により構成される構造物に関する複数のデータを取得する取得部、構造物に関する複数のデータから、複数の部材が建造される相対的な位置に関する情報及び複数の部材が建造される絶対的な位置に関する情報を抽出する抽出部、相対的な位置に関する情報を、複数の部材が建造される絶対的な位置に関する情報に変換する変換部、及び絶対的な位置に関する情報に基づいて、構造物に関する複数のデータのうち一部又は全部を関連付ける関連付け部、として機能させる。
【００２３】
この態様によれば、構造物の複数の部材が建造される相対的な位置に関する情報を、複数の部材が建造される絶対的な位置に関する情報に変換して、絶対的な位置に関する情報に基づいてデータの関連付けを行うことで、構造物に関する多種多様なデータを、構造物を建造し、保守する各工程で横断的に利用可能とすることができる。
【発明の効果】
【００２４】
本発明によれば、構造物に関する多種多様なデータを、構造物を建造し、保守する各工程で横断的に利用可能とするデータ管理装置、データ管理方法及びデータ管理プログラムを提供することができる。
【図面の簡単な説明】
【００２５】
【図１】本発明の一実施形態に係るデータ管理装置のネットワーク構成図である。
【図２】本実施形態に係るデータ管理装置の物理的な構成を示す図である。
【図３】本実施形態に係るデータ管理装置の機能ブロック図である。
【図４】本実施形態に係るデータ管理装置により取得される土地の調査に関する数値データの一例を示す図である。
【図５】本実施形態に係るデータ管理装置により取得される構造物の設計に関するＣＡＤデータの一例を示す図である。
【図６】本実施形態に係るデータ管理装置により実行される第１処理のフローチャートである。
【図７】本実施形態に係るデータ管理装置により実行される第２処理のフローチャートである。
【発明を実施するための形態】
【００２６】
添付図面を参照して、本発明の実施形態について説明する。なお、各図において、同一の符号を付したものは、同一又は同様の構成を有する。
【００２７】
図１は、本発明の一実施形態に係るデータ管理装置１０のネットワーク構成図である。データ管理装置１０は、構造物を建造し、保守する各工程で得られる複数のデータを管理する。構造物を建造し、保守する各工程は、具体的には、構造物が建造される土地の地盤の強さの測定や土地の測量を行う調査の工程、構造物を設計する工程、設計に基づき構造物を建造する施工の工程及び建造された構造物を保守する管理の工程を含む。ここで、構造物とは、複数の部材により構成される物であり、例えば道路、橋、建物等を含む。また、構造物を構成する部材は、例えば構造物が橋の場合、基礎、橋台、橋脚及び橋桁等、橋を構成する任意の要素を含む。また、構造物に関するデータは、構造物が建造される周囲環境に関するデータとして、例えば構造物が建造される地盤に関するデータや、構造物の周囲に存在する河川や山に関するデータを含んでもよい。構造物に関するデータは、構造物の周囲に存在する河川の氾濫に関するデータや、構造物の周囲に存在する山の土砂崩れに関するデータを含んでもよい。
【００２８】
データ管理装置１０は、通信ネットワークＮを介して、調査データベースＤＢ１、設計データベースＤＢ２、施工データベースＤＢ３及び管理データベースＤＢ４に接続される。ここで、調査データベースＤＢ１は、少なくとも構造物が建造される土地の調査に関する数値データを記憶し、例えば土地の地盤の強さに関する数値データや土地の測量に関する数値データを記憶する。設計データベースＤＢ２は、少なくとも構造物の設計に関するＣＡＤデータを記憶し、例えば構造物の寸法や材質を示すＣＡＤデータや、構造物の基礎の配置や寸法を示すＣＡＤデータを記憶する。施工データベースＤＢ３は、少なくとも構造物の施工に関する表データを記憶し、例えば構造物の施工の順序に関する工程表や、施工に割り当てられる人員の配置表を記憶する。管理データベースＤＢ４は、少なくとも構造物の維持管理に関する画像データを記憶し、例えば構造物に生じた亀裂、腐食、変形や損傷を撮影した画像データを記憶する。また、通信ネットワークＮは、有線又は無線の通信網であり、例えばインターネットやＬＡＮ（Local Area Network）であってよい。
【００２９】
図２は、本実施形態に係るデータ管理装置１０の物理的な構成を示す図である。データ管理装置１０は、ハードウェアプロセッサに相当するＣＰＵ（Central Processing Unit）１０ａと、メモリに相当するＲＡＭ（Random Access Memory）１０ｂと、メモリに相当するＲＯＭ（Read Only Memory）１０ｃと、通信部１０ｄと、入力部１０ｅと、表示部１０ｆとを有する。これら各構成は、バスを介して相互にデータ送受信可能に接続される。
【００３０】
ＣＰＵ１０ａは、ＲＡＭ１０ｂ又はＲＯＭ１０ｃに記憶されたプログラムの実行に関する制御やデータの演算、加工を行う制御部である。ＣＰＵ１０ａは、構造物に関する複数のデータを管理するプログラム（データ管理プログラム）を実行する演算装置である。ＣＰＵ１０ａは、入力部１０ｅや通信部１０ｄから種々の入力データを受け取り、入力データの演算結果を表示部１０ｆに表示したり、ＲＡＭ１０ｂやＲＯＭ１０ｃに格納したりする。
【００３１】
ＲＡＭ１０ｂは、データの書き換えが可能な記憶部であり、例えば半導体記憶素子で構成される。ＲＡＭ１０ｂは、ＣＰＵ１０ａが実行するアプリケーション等のプログラムやデータを記憶する。
【００３２】
ＲＯＭ１０ｃは、データの読み出しのみが可能な記憶部であり、例えば半導体記憶素子で構成される。ＲＯＭ１０ｃは、例えばファームウェア等のプログラムやデータを記憶する。
【００３３】
通信部１０ｄは、データ管理装置１０を通信ネットワークＮに接続する通信インタフェースである。
【００３４】
入力部１０ｅは、ユーザからデータの入力を受け付けるものであり、例えば、キーボードやマウス、タッチパネルで構成される。
【００３５】
表示部１０ｆは、ＣＰＵ１０ａによる演算結果を視覚的に表示するものであり、例えばＬＣＤ（Liquid Crystal Display）により構成される。
【００３６】
データ管理プログラムは、ＲＡＭ１０ｂやＲＯＭ１０ｃ等のコンピュータによって読み取り可能な記憶媒体に記憶されて提供されてもよいし、通信部１０ｄにより接続される通信ネットワークＮを介して提供されてもよい。データ管理装置１０では、ＣＰＵ１０ａがデータ管理プログラムを実行することにより、次図を用いて説明する様々な機能が実現される。なお、これらの物理的な構成は例示であって、必ずしも独立した構成でなくてもよい。例えば、データ管理装置１０は、ＣＰＵ１０ａとＲＡＭ１０ｂやＲＯＭ１０ｃが一体化したＬＳＩ（Large-Scale Integration）を備えていてもよい。
【００３７】
図３は、本実施形態に係るデータ管理装置１０の機能ブロック図である。データ管理装置１０は、取得部１１、抽出部１２、変換部１３及び関連付け部１４を備える。
【００３８】
取得部１１は、複数の部材により構成される構造物に関する複数のデータを取得する。取得部１１は、通信ネットワークＮを介して、調査データベースＤＢ１、設計データベースＤＢ２、施工データベースＤＢ３及び管理データベースＤＢ４から、構造物に関する複数のデータを取得してよい。
【００３９】
抽出部１２は、構造物に関する複数のデータから、複数の部材が建造される相対的な位置に関する情報及び複数の部材が建造される絶対的な位置に関する情報を抽出する。ここで、部材が建造される相対的な位置に関する情報とは、部材が建造される位置を、ある基準点との相対的な関係によって特定する情報であり、例えば構造物の特定の箇所を基準として部材の位置を特定する情報である。より具体的には、構造物が橋であり、部材が橋脚の場合、橋脚が建造される相対的な位置に関する情報は、橋脚が建造される位置を橋の一端から測った距離によって特定する情報であってよい。部材が建造される相対的な位置に関する情報は、部材が建造される位置を、地上の一部で局所的に定義される座標系によって示す情報であってよい。また、部材が建造される絶対的な位置に関する情報とは、部材が建造される地上の位置を一意に表す情報であり、例えば緯度及び経度を示す情報や、部材が建造される住所に関する情報である。部材が建造される絶対的な位置に関する情報は、部材が建造される位置を、地上全体で大域的に定義される座標系によって示す情報であってよい。なお、構造物が３次元的構造を有する場合、部材が建造される絶対的な位置に関する情報は、緯度、経度及び高度を示す情報であってよい。
【００４０】
変換部１３は、相対的な位置に関する情報を、複数の部材が建造される絶対的な位置に関する情報に変換する第１変換を行う。変換部１３は、例えば、部材が橋脚の場合、橋脚が建造される相対的な位置に関する情報を、当該橋脚が建造される緯度及び経度を示す情報に変換する。変換部１３は、複数の部材が建造される相対的な位置に関する情報、すなわち複数の部材が建造される多数の点を基準点との相対的な関係によって特定する情報を、当該複数の部材が建造される緯度及び経度を示す情報に変換してよい。
【００４１】
関連付け部１４は、絶対的な位置に関する情報に基づいて、構造物に関する複数のデータのうち一部又は全部を関連付ける。関連付け部１４は、例えば、構造物が橋の場合、橋脚が建造される緯度及び経度を示す情報に基づいて、複数の橋脚に関するデータを橋に関するデータとして互いに関連付けてよい。関連付け部１４は、通信ネットワークＮを介して、調査データベースＤＢ１、設計データベースＤＢ２、施工データベースＤＢ３及び管理データベースＤＢ４に記憶された複数のデータを関連付ける。データの関連付けは、共通のタグを付すこと等により行ってよい。
【００４２】
また、抽出部１２は、関連付けられた構造物に関する複数のデータから、構造物の挙動をシミュレーションするために用いるデータを抽出してよい。抽出部１２は、例えば、構造物が建造された地域で地震が起こった場合に、構造物がどのように振動するかシミュレーションするために用いるデータを抽出したり、構造物が建造された地域で洪水が行った場合に、構造物に対してどのような力が加わるかシミュレーションするために用いるデータを抽出したりしてよい。データ管理装置１０は、抽出部１２によって抽出された構造物がどのように振動するかシミュレーションするために用いるデータに基づいて、構造物が建造された地域で地震が起こった場合に構造物がどのように振動するかを表す地震シミュレーションを行ってもよい。また、抽出部１２は、構造物が建造された地域で津波が発生した場合に、津波によって構造物に対してどのような力が加わるかシミュレーションするために用いるデータを抽出してもよく、データ管理装置１０は、抽出部１２によって抽出された津波によって構造物に対してどのような力が加わるかシミュレーションするために用いるデータ及び地震シミュレーションに基づいて、構造物が建造された地域で津波が発生した場合に、津波によってどのような力が加わるかを表す津波シミュレーションを行ってもよい。さらに、抽出部１２は、構造物が建造された地域で災害が発生した場合に、構造物からどのように避難するかシミュレーションするために用いるデータを抽出してもよく、データ管理装置１０は、抽出部１２によって抽出された構造物からどのように避難するかシミュレーションするために用いるデータ及び津波シミュレーションに基づいて、構造物が建造された地域で津波が発生した場合に、安全な場所にどのようにして避難するか表すシミュレーションを行ってもよい。
【００４３】
変換部１３は、第１変換に加えて、関連付けられた構造物に関する複数のデータに含まれる２種類のデータのうち一方を他方に変換する第２変換を行ってもよい。より具体的には、変換部１３は、第２変換として、調査データベースＤＢ１に記憶された土地の調査に関する数値データに含まれる土地の地盤の強さに関する数値データを、設計に関するＣＡＤデータに含まれる構造物の基礎の配置及び基礎の寸法の少なくともいずれかに変換してよい。また、変換部１３は、第２変換として、設計データベースＤＢ２に記憶された設計に関するＣＡＤデータを、施工に関する表データに含まれる施工の順序及び施工に割り当てられる人員の少なくともいずれかに変換してよい。さらに、変換部１３は、第２変換として、施工データベースＤＢ３に記憶された施工に関する表データを、記憶された維持管理に関する画像データにより示される構造物の劣化に関するデータに変換してもよい。なお、変換部１３は、構造物の挙動をシミュレーションするために用いられるデータが揃っていない場合に、第２変換によりデータを補ってもよい。この場合、抽出部１２は、変換部１３による第２変換により得られたデータから、構造物の挙動をシミュレーションするために用いるデータを抽出してもよい。
【００４４】
図４は、本実施形態に係るデータ管理装置１０により取得される土地の調査に関する数値データの一例を示す図である。同図では、土地のボーリング調査に関するＮ値を示している。なお、Ｎ値とは、所定の重さのハンマーを所定の高さから自由落下させてボーリングロッドを打撃し、ボーリングロッドの先端に取り付けられたサンプラを地中に所定の深さだけ貫入するのに要した打撃回数である。
【００４５】
同図には、ボーリング調査に割り当てられた名称を表す「Ｌｏｇ  ｎａｍｅ」について「ＫＷ０１００３」と示されている。また、ボーリング調査が行われた地点の絶対的な位置に関する情報ＩＮＦ１を表す「Ｌｏｃａｔｉｏｎ」について「ｘ  Ｅａｓｔ，ｙ  Ｎｏｒｔｈ」と示されている。抽出部１２は、「Ｌｏｃａｔｉｏｎ」の内容を抽出し、ボーリング調査が行われた地点の絶対的な位置に関する情報ＩＮＦ１を、東経ｘ及び北緯ｙと抽出する。
【００４６】
また、同図には、サンプラの最大貫入深さを表す「Ｍａｘ  ｄｅｐｔｈ」について「５４．０９ｍ」と示され、地層の数を表す「Ｎｏ．ｏｆ  ｌａｙｅｒｓ」について「２７」と示され、取得したサンプルの数を表す「Ｎｏ．ｏｆ  ｓａｍｐｌｅｓ」について「１８」と示され、Ｎ値を表す「Ｎｏ．ｏｆ  Ｎ−ｖａｌｕｅ」について「５１」と示されている。その他、標尺［ｍ］、深度［ｍ］、柱状図、土質区分、色調、観察記事といった情報や、標準貫入試験に関する情報として中心深度［ｍ］、打撃回数、貫入量［ｃｍ］及びＮ値といった情報が深度毎に含まれている。
【００４７】
図５は、本実施形態に係るデータ管理装置１０により取得される構造物の設計に関するＣＡＤデータの一例を示す図である。同図に示すＣＡＤデータは、７本の橋脚と、７本の橋脚にまたがって建造される橋桁とを表した高架橋の平面図である。
【００４８】
同図には、高架橋を構成する複数の橋脚が建造される相対的な位置に関する情報ＩＮＦ２として、高架橋の名称「Ｘ橋」と、支間長「２００００」［ｍｍ］が示されている。抽出部１２は、高架橋の名称と支間長の内容を抽出し、複数の橋脚が建造される相対的な位置に関する情報ＩＮＦ２を、Ｘ橋の端部から２０ｍ間隔と抽出する。変換部１３は、Ｘ橋という名称に基づいて、Ｘ橋の緯度及び経度を特定し、複数の橋脚が建造される相対的な位置に関する情報ＩＮＦ２を、複数の橋脚それぞれが建造される緯度及び経度に変換する。変換部１３は、高架橋の平面図及び上面図に基づいて、複数の橋脚の配置を特定し、高架橋の端部を基準として表された橋脚の相対的な位置に関する情報を、橋脚の絶対的な位置に関する情報に変換してもよい。
【００４９】
また、同図には、橋脚に付された名称が、左から「Ｐ７」、「Ｐ８」、「Ｐ９」、「Ｐ１０」、「Ｐ１１」、「Ｐ１２」及び「Ｐ１３」と示されている。また、それぞれの橋脚について、その構造が「鋼構造」であることが示されている。変換部１３は、橋脚の構造が鋼構造であるという情報を、施工の工法に関する情報に変換したり、橋脚の劣化を予測する情報に変換したりしてもよい。
【００５０】
図６は、本実施形態に係るデータ管理装置１０により実行される第１処理のフローチャートである。第１処理は、構造物に関する複数のデータを関連付け、関連付けられた複数のデータから、構造物の挙動をシミュレーションするために用いるデータを抽出する処理である。
【００５１】
はじめに、取得部１１は、調査データベースＤＢ１、設計データベースＤＢ２、施工データベースＤＢ３及び管理データベースＤＢ４から、構造物に関する複数のデータを取得する（Ｓ１０）。抽出部１２は、構造物に関する複数のデータから、複数の部材が建造される相対的な位置に関する情報を抽出し（Ｓ１１）、複数の部材が建造される絶対的な位置に関する情報を抽出する（Ｓ１２）。
【００５２】
変換部１３は、相対的な位置に関する情報を、複数の部材が建造される絶対的な位置に関する情報に変換する（Ｓ１３）。また、関連付け部１４は、絶対的な位置に関する情報に基づいて、構造物に関する複数のデータのうち一部又は全部を関連付ける（Ｓ１４）。抽出部１２は、関連付けられた構造物に関する複数のデータから、構造物の挙動をシミュレーションするために用いるデータを抽出する（Ｓ１５）。以上により、第１処理が終了する。
【００５３】
本実施形態に係るデータ管理装置１０によれば、構造物の複数の部材が建造される相対的な位置に関する情報を、複数の部材が建造される絶対的な位置に関する情報に変換して、絶対的な位置に関する情報に基づいてデータの関連付けを行うことで、構造物に関する多種多様なデータを、構造物を建造し、保守する各工程で横断的に利用可能とすることができる。
【００５４】
また、関連付けられた構造物に関する複数のデータから、構造物の挙動をシミュレーションするために用いるデータを抽出することで、構造物に関する多種多様なデータを、構造物の挙動をシミュレーションするためにひとまとまりとして取り扱うことができ、より精度の高いシミュレーションを行うためのデータを効率良く提供することができる。
【００５５】
図７は、本実施形態に係るデータ管理装置１０により実行される第２処理のフローチャートである。第２処理は、関連付けられた構造物に関する複数のデータに含まれる２種類のデータのうち一方を他方に変換する処理である。第２処理は、取得部１１によって、構造物が建造される土地の調査に関する数値データ、構造物の設計に関するＣＡＤデータ、構造物の施工に関する表データ及び構造物の維持管理に関する画像データを取得した後に行われる処理である。
【００５６】
変換部１３は、土地の調査に関する数値データに含まれる土地の地盤の強さに関する数値データを、設計に関するＣＡＤデータに含まれる構造物の基礎の配置及び基礎の寸法の少なくともいずれかに変換する（Ｓ２０）。変換部１３は、例えば、地盤の貫入試験によって測定されたＮ値を、高架橋の基礎の配置及び寸法に変換する。
【００５７】
このように、変換部１３によれば、構造物を建造する土地の地盤の強さに関する数値データが、構造物の基礎の配置及び寸法の少なくともいずれかに読替可能となり、調査の工程と設計の工程でデータを横断的に利用可能とすることができる。
【００５８】
変換部１３は、設計に関するＣＡＤデータを、施工に関する表データに含まれる施工の順序及び施工に割り当てられる人員の少なくともいずれかに変換する。変換部１３は、例えば、高架橋の設計に関するＣＡＤデータを、高架橋の施工の順序及び施工に割り当てられる人員に変換する。
【００５９】
このように、変換部１３によれば、構造物の設計に関するＣＡＤデータが、構造物の施工の順序及び人員の少なくともいずれかに読替可能となり、設計の工程と施工の工程でデータを横断的に利用可能とすることができる。
【００６０】
変換部１３は、施工に関する表データを、維持管理に関する画像データにより示される構造物の劣化に関するデータに変換する。変換部１３は、例えば、高架橋の施工に関する表データに示された橋脚の施工に用いた材料に関するデータを、橋脚の腐食を予測するデータに変換したり、橋脚の損傷を予測するデータに変換したりする。
【００６１】
このように、変換部１３によれば、構造物の施工に関する表データが、構造物の劣化に関するデータに読替可能となり、施工の工程と維持管理の工程でデータを横断的に利用可能とすることができる。
【００６２】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００６３】
１０…データ管理装置、１０ａ…ＣＰＵ、１０ｂ…ＲＡＭ、１０ｃ…ＲＯＭ、１０ｄ…通信部、１０ｅ…入力部、１０ｆ…表示部、１１…取得部、１２…抽出部、１３…変換部、１４…関連付け部、ＤＢ１…調査データベース、ＤＢ２…設計データベース、ＤＢ３…施工データベース、ＤＢ４…管理データベース、ＩＮＦ１…絶対的な位置に関する情報、ＩＮＦ２…相対的な位置に関する情報、Ｎ…通信ネットワーク
【図１】
2019056976.tif 000003
【図２】
2019056976.tif 000004
【図３】
2019056976.tif 000005
【図４】
2019056976.tif 000006
【図５】
2019056976.tif 000007
【図６】
2019056976.tif 000008
【図７】
2019056976.tif 000009